(57)【要約】  本発明の目的は、弦の二つの係留点（７）の間に取り付けられている多数の弦（６）を有し、音楽家が自身の指または手持ち式の機器を用いて弦（６）に触らない楽器におけるアリコートトーンを減衰させることについての技術的課題を解決する、アリコートトーンを減衰させるための装置および方法である。そのような楽器は、たとえば、ピアノおよびアップライトピアノである。本発明は、弦の二つの固定係留点（７）のうち一つに近接した弦が、アクチュエータ（４）を介して、好ましくは弾性材である押圧材（２）によって押圧されるよう技術的に構成され、押圧材（２）の押圧によってアリコートトーンが減衰する。アリコートトーンを減衰させるための装置（１）は、弦（６）に対する押圧が押圧要素（８）を介して行われる押圧材（２）と、押圧力を生じる可動要素（３）と、連結部材（５）に結合されており、弦（６）に対する押圧が作動することでアリコートトーンを減衰させるアクチュエータ（４）と、を少なくとも備える。
2021500637.tif 000002
【特許請求の範囲】
【請求項１】
弦（６）における二つの係留点（７）の間に取り付けられている多数の弦（６）を有する楽器におけるアリコートトーンを減衰させるための装置（１）であって、前記装置（１）は、
押圧材（２）と、
少なくとも一つの可動要素（３）と、
少なくとも一つの戻り要素（１０）と、
連結部材（５）と、
アクチュエータ（４）と、を備えることを特徴とし、
前記アクチュエータ（４）は前記連結部材（５）を介して前記可動要素（３）を作動させ、
該可動要素を動かすことによって前記押圧材（２）が一つまたは複数の弦（６）に対して押圧されることで、前記弦（６）の前記アリコートトーンが減衰し、
前記可動要素（３）が変位を伴って戻り要素（１０）を作動させ、作動が終わると、前記戻り要素（１０）によって前記可動要素（３）と、したがって、前記押圧材（２）とが初期位置に戻される、装置。
【請求項２】
前記押圧材（２）が係留された押圧要素（８）をさらに備えることを特徴とし、
前記押圧材（２）が前記弦（６）に対して押圧されるよう、前記可動要素（３）が作動するとガイド（９）によって導かれた前記押圧要素（８）を前記弦（６）に向かって変位させる、請求項１に記載の装置。
【請求項３】
前記押圧材（２）は、前記弦（６）に対して押圧されるときに僅かに変形する材料の中から選択された弾性材であって、
前記弦と接触する前記弾性材の一部は、形状が前記弦（６）の形状に適応して、前記弦（６）と前記弾性材との間における接触面が増えて、前記弾性材が解放されると初期位置に戻ることを特徴とする、請求項１および２のいずれか一項に記載の装置。
【請求項４】
前記弦（６）に対する押圧は、前記弦（６）のうち作動している箇所の先端または末端、最初または最後の係留点（７）に加えられることを特徴とする、請求項１〜３のいずれか一項に記載の装置。
【請求項５】
前記連結部材（５）は機械式であって、コード、ロープ、鋼線、棒鋼、または他の機械連結部材として形成されることを特徴とする、請求項１〜４のいずれか一項に記載の装置。
【請求項６】
前記連結部材（５）は、油圧導体または空気圧導体または電気導体として形成されることを特徴とする、請求項１〜５のいずれか一項に記載の装置。
【請求項７】
前記連結部材（５）は無線式であって、前記アクチュエータ（４）は、前記可動要素（３）を動作させる無線信号を送信することを特徴とする、請求項１〜６のいずれか一項に記載の装置。
【請求項８】
前記可動要素（３）は、非円形状の、好ましくは楕円形状の機械要素として形成され、
作動または移動は、前記機械要素を軸の周りで回転させることにより行われ、
前記機械要素の前記非円形状によって、前記機械要素の押圧点が変化する、より正確には、前記機械要素の回転点から前記機械要素の前記押圧点までの距離を定める半径が変化することを特徴とする、請求項１〜７のいずれか一項に記載の装置。
【請求項９】
前記可動要素（３）は、油圧シリンダまたは空気圧シリンダまたは電磁石として形成されることを特徴とする、請求項１〜８のいずれか一項に記載の装置。
【請求項１０】
前記戻り要素（１０）はバネであることを特徴とする、請求項１〜９のいずれか一項に記載の装置。
【請求項１１】
前記楽器はピアノまたはアップライトピアノであることを特徴とする、請求項１〜１０のいずれか一項に記載の装置。
【請求項１２】
二つの係留点の間に取り付けられている多数の弦を有する楽器におけるアリコートトーンを減衰させるための方法であって、前記方法は請求項１〜１１のいずれか一項に記載の装置に対して実行され、
前記アクチュエータ（４）は前記連結部材（５）を介して前記可動要素（３）を作動させることを特徴とし、
前記可動要素（３）は変位中、前記押圧材（２）が係留された押圧要素（８）に対して押圧されることによって、前記押圧材（２）が前記弦（６）を押圧して前記弦（６）の前記アリコートトーンを減衰させるように前記押圧要素（８）を前記弦（６）に向けて変位させ、
前記可動要素（３）は変位中、前記戻り要素（１０）を作動させ、作動が終了すると、前記戻り要素（１０）は前記可動要素（３）を初期位置に戻して、前記押圧要素（８）と、したがって前記押圧材（２）とが前記弦（６）から離間する、方法。
【請求項１３】
前記弦（６）に対する押圧は、前記弦（６）の最初または最後の係留点（７）に近接した前記弦（６）のうち作動している箇所の最初または最後の部分において行われることを特徴とする、請求項１２に記載の方法。
【請求項１４】
弦（６）の個別組ごとにアリコートトーンを減衰させるための前記装置（１）を徐々にオンにすることによって、前記アクチュエータ（４）の段階的作動が様々な組の弦（６）を減衰させることを特徴とする、請求項１２および１３のいずれか一項に記載の方法。
【発明の詳細な説明】
【技術分野】
【０００１】
本発明は、アリコートトーン（ａｌｉｋｖｏｔｎｉ  ｔｏｎｉ；  ａｌｉｑｕｏｔ  ｔｏｎｅｓ）、アリコートトーンを減衰させること、弦楽器（ｓｔｒｉｎｇ  ｉｎｓｔｒｕｍｅｎｔｓ）、ピアノ、アップライトピアノに関する。
【背景技術】
【０００２】
弦楽器は、いくつかの弦が設けられている楽器であり、各弦は二つの固定係留点（ｒｉｇｉｄ  ｆａｓｔｅｎｉｎｇ  ｐｏｉｎｔｓ）の間に取り付けられている。当該固定係留点のうち１つによって、弦を締めることが可能となる。それによって、個々の弦を調弦することができる。楽器の様々な音（ｔｏｎｅｓ）の数は、弦の数によって決まる。
【０００３】
各弦は基音（ｆｕｎｄａｍｅｎｔａｌ  ｔｏｎｅ）とアリコートトーンとを有する。アリコートトーンには、協和音（ｃｏｎｓｏｎａｎｔ  ｔｏｎｅｓ）、付帯音（ａｃｃｅｓｓｏｒｙ  ｔｏｎｅｓ）、部分音（ｐａｒｔｉａｌ  ｔｏｎｅｓ）、倍音（ｏｖｅｒｔｏｎｅｓ）など様々な名称がある。アリコートトーンは、個々の弦の基音と共に生成される、微かに聞こえる協和音である。基音とアリコートトーンとは共に、基音の音色にとって非常に重要である弦のサウンド（ｓｏｕｎｄ）または音の協和（ｃｏｎｓｏｎａｎｃｅ）を形成する。
【０００４】
各弦のサウンドは、基音とアリコートトーンとからなる。アリコートトーンを減衰させるための装置によって基音の音色が変化し、それによって、今までに知られているピアノおよびアップライトピアノの既知の変種（ｋｎｏｗｎ  ｖａｒｉａｎｔｓ）に関連する（ｉｎ  ｒｅｌａｔｉｏｎ  ｔｏ）新たなサウンドレジスタ（ｓｏｕｎｄ  ｒｅｇｉｓｔｅｒ）が提供される。
【発明の概要】
【発明が解決しようとする課題】
【０００５】
商業的に利用可能なピアノおよびアップライトピアノは一定数の弦を有し、各弦は基音とアリコートトーンとを生成する。基音とアリコートトーンとは、基音の音色にとって非常に重要である弦のサウンドを生成する。
【０００６】
ピアノおよびアップライトピアノにおけるアリコートトーンを減衰させる装置は、市場においても文献においても見つかっていない。
【課題を解決するための手段】
【０００７】
本発明の目的は、二つの固定係留点の間に取り付けられている多数の弦を有し、音楽家が自身の指または手持ち式の機器（ａｃｃｅｓｓｏｒｙ）を用いて弦に触らない楽器におけるアリコートトーンを減衰させるための、好ましくは、ピアノまたはアップライトピアノにおけるアリコートトーンを減衰させるための装置および方法である。
【０００８】
ピアノまたはアップライトピアノにおけるサウンドは、弦を打って振動させるハンマーを有しているレバー機構を作動させるキーを打鍵することによって、生成される。
弦の音またはサウンドは、基音とアリコートトーンとによって確定される。アリコートトーンは、個々の弦の基音と共に生成される、微かに聞こえる協和音である。基音とアリコートトーンとの協和は、基音の音色にとって非常に重要である。
【０００９】
いくつかの楽器（たとえば、ピアノまたはアップライトピアノ）は、弦の音（弦のダンパ）を完全に減衰させるための統合手段を有する。この手段により、弦は完全に減衰／静止され、弦の音またはサウンドは聞こえなくなる。ピアノまたはアップライトピアノにおいて、弦（ダンパ）を完全に減衰させるための統合手段はキーを打鍵することで解除され、ダンパは当該キーが離されると再び作動する（弦が減衰する）。
【００１０】
本発明の装置は、音を完全に減衰させるのではなく、アリコートトーンのみを減衰させ、それによって、基音の音色を変化させ、新たなサウンドレジスタを提供する。
本発明によると、押圧材を有する弦のうち作動している部分の最初または最後の箇所に対して、アクチュエータによって圧力が加えられる。押圧材の圧力によって、弦の振動に変化が生じ、ひいてはアリコートトーンが減衰する。
【００１１】
押圧材は、好ましくは、負荷がかけられるときに（即ち、弦に対して押圧されるときに）僅かに変形する材料の中から選択された弾性材であって、弦と接触する弾性材の一部は、形状が弦の形状に適応して、弦と弾性材との間における接触面が増える。弾性材が解放されると、弾性材は初期形状を呈し、変形はなくなる。好ましい実施形態においては、押圧材はシリコーンゴムによって形成されている。
【００１２】
アリコートトーンを減衰させるための装置は少なくとも、弦に圧力が加えられる押圧材と、押圧材が弦に対して押圧され可動要素が変位を伴って少なくとも一つの戻り要素を作動させるように、変位されることで押圧力を生じる少なくとも一つの可動要素と、可動要素を作動させて可動要素が弦に対して押圧材を押圧することでアリコートトーンを減衰させるアクチュエータと、を備える。
【００１３】
弦に対する圧力は、弦のうち作動している部分の最初または最後の箇所に対して加えられる。弦のうち作動している部分とは、二つの固定係留点の間に取り付けられている弦の部分のことを指す。
【００１４】
アクチュエータは適格な（ａｄｅｑｕａｔｅ）連結部材を通じて可動要素を作動させ（動作させ（ｔｒｉｇｇｅｒｓ）、可動要素も変位を伴って戻り要素を作動させる。戻り要素の機能は、作動が終わった際に戻り要素を初期位置に戻すことであり、それによって、押圧材を弦から離間させる。好ましい実施形態においては、戻り要素はバネとして構成されている。ただし、当該好ましい実施形態においては、押圧材は可動要素に対して直接的に係留されていてもよく、押圧要素が押圧材と共に弦に対して押圧されるように、可動要素は作動または変位されると押圧材が係留されている押圧要素に対して押圧される。押圧要素はガイドによって導かれる。よって、押圧要素の変位は、弦に向かう方向に限られる。アクチュエータと連結部とが作動しなくなると、可動要素は押圧要素に対して圧力を加えなくなり、可動要素と、同時に、押圧材を伴う押圧要素とが戻り要素によって初期位置に戻される。
【００１５】
アクチュエータは、少なくとも一またはいくつかの可動要素を作動させる。可動要素は、既知の方法（たとえば、機械連結部材（コード、ロープ、鋼線、棒鋼、または他の機械連結部材など）を通して、電気連結部材（電気導体など）を通して、油圧連結部材（油圧導体など）を通して、空気圧連結部材（空気圧導体など）を通して、または、無線連結部材を通して、動作／作動する。アクチュエータは、可動要素を動作させる無線信号を送信する。可動要素は、いかなる方法で具現化されてもよい。可動要素の仕事（ｔａｓｋ）は、作動（変位）時に弦に対して圧力を加えることであって、弦に対する圧力は押圧材を介して与えられる。押圧材と可動要素との間において、押圧材が係留される、または、押圧材が可動要素に対して係留される押圧要素があってもよい。
【００１６】
押圧要素によって、同時に１またはいくつかの弦に対する同時押圧を行うことが可能となる。押圧要素はガイドに取り付けられている。よって、押圧要素の変位は弦に向かう方向に限られる。
【００１７】
押圧要素の弦に対する圧力は可動要素の変位によってかけられる。可動要素は、連結部材（機械式、油圧式、空気圧式、電気式であってもよい）によって、つまり機械的に、油圧によって、空気圧によって、電気によって、または他の方法で変位されるが、これによって本発明の本質を限定することはない。
【００１８】
弦に対しての圧力はいかなる方法で作動されてもよい。アクチュエータは好ましくはフットペダルとして形成されるが、これによって本発明の本質を限定することはない。
可動要素はどのような構成であってもよいが、好ましくは以下のものとして形成される。
・非円形状の、好ましくは楕円形状の機械要素であって、作動／移動は、機械要素を軸の周りで回転させることにより行われ、機械要素の非円形状によって、機械要素の押圧点が変化する、より正確には、機械要素の回転点から機械要素の押圧点までの距離を定める半径が変化する。
・可動要素は油圧シリンダとして形成されてもよい。
・可動要素は電磁石として形成されてもよい。
・可動要素は空気圧シリンダとして形成されてもよい。
【００１９】
弦の個別組ごとにアリコートトーンを減衰させるための装置を徐々にオンにすることによって、アクチュエータの段階的作動が様々な組の弦を段階的に減衰させてもよい。フットペダルの形状であるアクチュエータが用いられる場合、弦の個別組ごとにアリコートトーンを減衰させるための装置を徐々にオンにすることによって、アクチュエータの段階的作動が様々な組の弦をそれぞれ減衰させる。第１ステップで、たとえば、ハイピッチの弦のみのアリコートトーンを減衰させるための装置がオンにされ（作動され）、第２ステップで、ローピッチの弦のみのアリコートトーンを減衰させるための装置がオンにされ（作動され）、第３ステップで、全ての弦のアリコートトーンを減衰させるための装置がオンにされる（作動される）。
【００２０】
本発明は、実施形態および添付の図面によって以下でより詳細に説明される。
【図面の簡単な説明】
【００２１】
【図１】第１実施例（ｆｉｒｓｔ  ｖａｒｉａｎｔ）におけるアリコートトーンを減衰させるための装置の概略図であって、装置１、押圧材２、可動要素３、アクチュエータ４、連結部材（ｌｉｎｋａｇｅ）５、弦６、弦係留点（ｓｔｒｉｎｇ  ｆａｓｔｅｎｉｎｇ  ｐｏｉｎｔ）７、押圧要素８、ガイド９、戻り要素（ｒｅｔｕｒｎ  ｅｌｅｍｅｎｔ）１０を示す図。
【図２】第２実施例（ｓｅｃｏｎｄ  ｖａｒｉａｎｔ）におけるアリコートトーンを減衰させるための装置の概略図であって、装置１、押圧材２、可動要素３、アクチュエータ４、連結部材５、弦６、弦係留点７、押圧要素８、ガイド９、戻り要素１０を示す図。
【発明を実施するための形態】
【００２２】
第１実施形態を図１に概略的に示す。
本実施形態の楽器は、弦の音（弦のダンパ）を完全に減衰させるための統合手段（ｉｎｔｅｇｒａｔｅｄ  ｍｅａｎｓ）を有するピアノまたはアップライトピアノである。この手段により、弦が完全に減衰／静止される。ダンパは、キーを打鍵することで解除され、当該キーが離されると再び作動する（弦が減衰する）。
【００２３】
アリコートトーンを減衰させるための装置１は、一つの弦６または複数の弦６に対して、当該弦６のうち作動している部分（ａｃｔｉｖｅ  ｐａｒｔ）の最初または最後の箇所（ｉｎｉｔｉａｌ  ｏｒ  ｆｉｎａｌ  ｐａｒｔ）において（即ち、弦６の最初の係留点（ｉｎｉｔｉａｌ  ｆａｓｔｅｎｉｎｇ  ｐｏｉｎｔ）７、あるいは、弦６の最後の係留点（ｆｉｎａｌ  ｆａｓｔｅｎｉｎｇ  ｐｏｉｎｔ）７であってもよい）、アクチュエータ４（本実施形態においてはフットペダル）を介して圧力が加えられるよう、技術的に構成される。アクチュエータ４を押圧することで、連結部材５によって可動要素３が作動し、可動要素３は押圧材２（本実施形態においてシリコーンゴムによって形成されている）が係留された押圧要素８に対して押圧され、押圧要素８を弦６に向けて押圧または変位させる。押圧材２は、弦６に対して押圧され、アリコートトーンを減衰させる。押圧要素８はガイド９によって導かれる。押圧要素８が変位されると、可動要素３は戻り要素１０（本実施形態においてはバネ）を作動させ、より正確には、可動要素３が戻り要素１０を引っ張る（ｉｔ  ｓｔｒｅｔｃｈｅｓ  ｉｔ）。アクチュエータ４と、したがって連結部材５とが作動しなくなる（ｎｏ  ｌｏｎｇｅｒ  ａｃｔｉｖｅ）と、バネは元の形状に戻って縮まり、それによって、可動要素３を初期位置に復帰／変位させる。押圧要素８と押圧材２とは弦６から離間する。
【００２４】
アクチュエータ４が作動すると、可動要素３は、押圧材２が係留された押圧要素８を弦６に対して押圧する。弦６に対する押圧は、弦６のうち作動している部分の最初または最後の箇所（即ち、弦６の最初のあるいは最後の係留点７）において、行われる。
【００２５】
アクチュエータ４は、連結部材５（本実施形態においては鋼線）を介して、可動要素３（本実施形態においては機械楕円要素）を回転させる。当該可動要素の変位によって、押圧材２が係留された押圧要素８が、弦６に向かう方向に押圧／変位される。押圧要素８はガイド９によって導かれる。アクチュエータ４が作動しなくなると、戻り要素１０（本実施形態においてはバネ）によって可動要素３と、したがって押圧要素８とが初期位置に戻る。それによって、押圧材２の弦６に対する押圧が解放される。
【００２６】
図１に示すように、二つの可動要素３（楕円形の機械要素）は、回転点に係留され、外半径において連結部材５（即ち鋼線）に係留される。アクチュエータ４（即ちフットペダル）が押圧されると、鋼線が引っ張られて、機械要素が回転点の周りで回転する。機械要素の回転中心と、押圧材２が係留された押圧要素８の押圧点との間の距離が長くなることによって、押圧要素８が弦６に向かって変位して、押圧材２が弦６に対して押圧される。押圧材２の弦６に対する押圧によって、アリコートトーンが減衰する。
【００２７】
第２実施形態を図２に概略的に示す。
本実施形態における楽器は、ピアノまたはアップライトピアノである。アリコートトーンを減衰させるための装置１は、弦のうち作動している部分の最初または最後の箇所において、または、弦６の最初または最後の係留点７において、弦６がアクチュエータ４（本実施形態においてはフットペダルである）を介して、押圧材２を係留している押圧要素８（本実施形態においてはシリコーンゴムによって形成されている）を通して押圧されるよう構成される。押圧材２の押圧によって、アリコートトーンが減衰する。
【００２８】
アリコートトーンを減衰させるための装置１は、弦６に対しての押圧が行われる押圧材２と、押圧力を生じる可動要素３と、押圧材２を係留している押圧要素８が弦６に対して押圧され、それによってアリコートトーンが減衰するよう、弦６に対する押圧が作動されるアクチュエータ４とを備えている。
【００２９】
アクチュエータ４が作動すると、可動要素３が、押圧材２を係留している押圧要素８を、弦のうち作動している部分の先端（ｂｅｇｉｎｎｉｎｇ）または末端（ｅｎｄ）において、または、弦６の最初または最後の係留点７において、弦６に対して押圧する。
【００３０】
油圧シリンダ内で圧力が生成されてピストンが伸び、圧力が押圧材２を係留している押圧要素８に圧力が加えられ、それによって押圧要素８が弦６に向かって変位するように、連結部材５（本実施形態においては油圧連結部材）を介するアクチュエータ４によって、可動要素３（本実施形態においては油圧シリンダ）が変位する。押圧材２は弦６に対して押圧され、アリコートトーンが減衰する。押圧要素８はガイド９に導かれる。押圧要素８が変位すると、可動要素３が戻り要素１０（本実施形態においてはバネである）を作動させ、より正確には、可動要素３が戻り要素１０を引っ張る。アクチュエータ４と、したがって連結部材５とが作動しなくなると、バネは元の形状に戻って縮まり、それによって、可動要素３を初期位置に復帰／変位し、押圧要素８と、したがって押圧材２とは弦６から離間する。
【００３１】
図２に示すように、本実施形態における可動要素３は油圧シリンダである。アクチュエータ４を動作させることによって、油圧連結部材の内部における圧力が増す。それによって、押圧材２を係留している押圧要素８を押圧する油圧シリンダが機能する。押圧要素８と、したがって押圧材２とが弦６に対して押圧されると、アリコートトーンが減衰する。
【００３２】
記載された解決策は、本発明の本質を変更しない異なる実施例（ｖａｒｉａｎｔ）で実行できることを理解されたい。
【図１】
2021500637.tif 000003
【図２】
2021500637.tif 000004
【国際調査報告】
2021500637.tif 000005
2021500637.tif 000006